(57)【要約】【課題】容器の内容物の過剰な使用を抑制できるポンプを提供する。【解決手段】ポンプ１は、容器２の口部２ａに固定される固定部６と、吐出ヘッド１５を含み、内容物４を吐出するために固定部６に対して昇降可能である作動部７と、少なくとも周方向一方側Ｄ１に回動可能に固定部６に取付けられた回動部２９と、オーバーキャップ３１と、を備え、回動部２９は、作動部７の上昇を規制する上昇規制部４４を備え、上昇規制部４４は、作動部７の上昇が規制された上昇規制状態からの周方向一方側Ｄ１への回動部２９の回動によって作動部７の上昇を許容し、吐出ヘッド１５への押下げ操作による作動部７の下降により、再び作動部７の上昇を規制するように構成され、オーバーキャップ３１は、上昇規制状態からの固定部６へのオーバーキャップ３１の装着に伴って回動部２９を周方向一方側Ｄ１に押圧して回動させ、作動部７の上昇を許容する許容押圧部４８を備える。【選択図】図１２
2020019526.tif 000002
【特許請求の範囲】
【請求項１】
容器の口部に固定される固定部と、
吐出口を有する吐出ヘッドを含み、前記容器の内容物を前記吐出口から吐出するために前記固定部に対して前記口部の軸方向に昇降可能であるとともに付勢力によって上昇可能な作動部と、
少なくとも前記口部の周方向一方側に回動可能に前記固定部に取付けられた回動部と、
前記固定部に着脱可能に装着されることで前記吐出ヘッドを被覆するオーバーキャップと、を備え、
前記回動部は、前記作動部との当接によって前記作動部の上昇を規制する上昇規制部を備え、
前記上昇規制部は、前記作動部の上昇が規制された上昇規制状態からの前記周方向一方側への前記回動部の回動によって前記作動部の上昇を許容し、前記吐出ヘッドへの押下げ操作による前記作動部の下降により、再び前記作動部の上昇を規制するように構成され、
前記オーバーキャップは、前記上昇規制状態からの前記固定部への前記オーバーキャップの装着に伴って前記回動部を前記周方向一方側に押圧して回動させ、前記作動部の上昇を許容する許容押圧部を備える、
ポンプ。
【請求項２】
前記回動部は、前記固定部への前記オーバーキャップの装着に伴って前記許容押圧部によって前記周方向一方側に押圧される許容受圧部を備え、
前記許容押圧部及び／又は前記許容受圧部は、前記周方向一方側に向けて上方に傾斜しており、
前記固定部は、前記固定部への前記オーバーキャップの装着に伴って、前記周方向一方側及びその反対方向である周方向他方側への前記オーバーキャップの回動を規制し且つ前記オーバーキャップの下降を許容するように、前記オーバーキャップを案内するキャップ案内部を備える、
請求項１に記載のポンプ。
【請求項３】
前記キャップ案内部は、上下方向に延在する溝で構成され、
前記オーバーキャップは、上下方向に延在するリブ状をなすとともに前記溝に案内される被案内リブを備える、
請求項２に記載のポンプ。
【請求項４】
前記キャップ案内部は、多角形状の外周面で構成され、
前記オーバーキャップは、前記多角形状の外周面に案内される多角形状の内周面を備える、
請求項２に記載のポンプ。
【請求項５】
前記多角形状の外周面及び前記多角形状の内周面は、正多角形状をなす、請求項４に記載のポンプ。
【請求項６】
前記オーバーキャップは、正多角形状をなす前記多角形状の内周面の各面に１つずつ回転対称性を有するように設けられた上下方向に延在するリブ状をなす複数の許容押圧リブを備え、
前記複数の許容押圧リブの下部で前記許容押圧部が構成される、
請求項５に記載のポンプ。
【請求項７】
前記作動部は、前記上昇規制部との当接によって前記作動部の上昇を規制する規制当接部を備え、
前記作動部は、前記作動部の下降に伴って、前記回動部を前記周方向一方側の反対方向である周方向他方側に押圧して回動させることで、前記上昇規制部を前記規制当接部の直上に移動させる規制押圧部を備える、請求項１〜６のいずれか一項に記載のポンプ。
【請求項８】
前記回動部は、前記作動部の下降に伴って、前記規制押圧部によって周方向他方側に押圧される規制受圧部を備え、
前記規制押圧部及び／又は前記規制受圧部は、前記周方向他方側に向けて上方に傾斜しており、
前記固定部は、前記周方向一方側及び前記周方向他方側への前記作動部の回動を規制し且つ前記作動部の昇降を許容するように、前記作動部を案内する作動案内部を備える、
請求項７に記載のポンプ。
【請求項９】
前記作動部は、前記口部の径方向外側に突出する凸状をなす１つ以上の規制凸部を備え、
前記１つ以上の規制凸部は、それぞれ、前記規制当接部と前記規制押圧部とを構成する、
請求項７又は８に記載のポンプ。
【請求項１０】
前記収容空間に配置される吸込口と、
前記固定部と前記作動部とによって、前記吸込口から前記吐出口までの流路に区画されるとともに、前記作動部の下降によって容積が減少し、前記作動部の上昇によって容積が増加するポンプ室と、
前記ポンプ室より上流側に位置する上流側逆流防止部と、
前記ポンプ室より下流側に位置する下流側逆流防止部と、
前記作動部を上方に付勢する弾性体と、を備え、
前記固定部は、シリンダを備え、
前記作動部は、前記シリンダの内面を摺動可能なピストンを備え、
前記固定部は、
前記シリンダを有するシリンダ部材と、
前記シリンダ部材を前記口部に固定するために前記口部に装着されるキャップ部材と、を備え、
前記回動部は、少なくとも前記周方向一方側に回動可能に前記キャップ部材に取付けられたリング部材で構成される、
請求項１〜９のいずれか一項に記載のポンプ。
【発明の詳細な説明】
【技術分野】
【０００１】
本発明は、ポンプに関する。
【背景技術】
【０００２】
容器の口部に固定される固定部と、吐出口を有する吐出ヘッドを含み、容器の内容物を吐出口から吐出するために固定部に対して口部の軸方向に昇降可能な作動部とを備えるポンプが知られている。このようなポンプは、例えば特許文献１に記載されるように、内容物を収容した容器に取り付けられた状態で、吐出ヘッドへの押下げ操作による作動部の下降の毎に、内容物を吐出することができる。
【先行技術文献】
【特許文献】
【０００３】
【特許文献１】特開２０１７−１７８４４２号公報
【発明の概要】
【発明が解決しようとする課題】
【０００４】
前記のようなポンプを用いる場合には、押下げ操作を繰り返すことで、内容物を繰り返し吐出することができる。しかし、そのために内容物を過剰に使用してしまう場合がある。
【０００５】
本発明の目的は、容器の内容物の過剰な使用を抑制できるポンプを提供することにある。
【課題を解決するための手段】
【０００６】
本発明の一態様に係るポンプは、
容器の口部に固定される固定部と、
吐出口を有する吐出ヘッドを含み、前記容器の内容物を前記吐出口から吐出するために前記固定部に対して前記口部の軸方向に昇降可能であるとともに付勢力によって上昇可能な作動部と、
少なくとも前記口部の周方向一方側に回動可能に前記固定部に取付けられた回動部と、
前記固定部に着脱可能に装着されることで前記吐出ヘッドを被覆するオーバーキャップと、を備え、
前記回動部は、前記作動部との当接によって前記作動部の上昇を規制する上昇規制部を備え、
前記上昇規制部は、前記作動部の上昇が規制された上昇規制状態からの前記周方向一方側への前記回動部の回動によって前記作動部の上昇を許容し、前記吐出ヘッドへの押下げ操作による前記作動部の下降により、再び前記作動部の上昇を規制するように構成され、
前記オーバーキャップは、前記上昇規制状態からの前記固定部への前記オーバーキャップの装着に伴って前記回動部を前記周方向一方側に押圧して回動させ、前記作動部の上昇を許容する許容押圧部を備える。
【０００７】
本発明に係るポンプは、
前記回動部が、前記固定部への前記オーバーキャップの装着に伴って前記許容押圧部によって前記周方向一方側に押圧される許容受圧部を備えてもよく、
前記許容押圧部及び／又は前記許容受圧部が、前記周方向一方側に向けて上方に傾斜していてもよく、
前記固定部が、前記固定部への前記オーバーキャップの装着に伴って、前記周方向一方側及びその反対方向である周方向他方側への前記オーバーキャップの回動を規制し且つ前記オーバーキャップの下降を許容するように、前記オーバーキャップを案内するキャップ案内部を備えてもよい。
【０００８】
本発明に係るポンプは、
前記キャップ案内部が、上下方向に延在する溝で構成されてもよく、
前記オーバーキャップが、上下方向に延在するリブ状をなすとともに前記溝に案内される被案内リブを備えてもよい。
【０００９】
本発明に係るポンプは、
前記キャップ案内部が、多角形状の外周面で構成されてもよく、
前記オーバーキャップが、前記多角形状の外周面に案内される多角形状の内周面を備えてもよい。
【００１０】
本発明に係るポンプは、前記多角形状の外周面及び前記多角形状の内周面が、正多角形状をなしてもよい。
【００１１】
本発明に係るポンプは、
前記オーバーキャップが、正多角形状をなす前記多角形状の内周面の各面に１つずつ回転対称性を有するように設けられた上下方向に延在するリブ状をなす複数の許容押圧リブを備えてもよく、
前記複数の許容押圧リブの下部で前記許容押圧部が構成されてもよい。
【００１２】
本発明に係るポンプは、
前記作動部が、前記上昇規制部との当接によって前記作動部の上昇を規制する規制当接部を備えてもよく、
前記作動部が、前記作動部の下降に伴って、前記回動部を前記周方向一方側の反対方向である周方向他方側に押圧して回動させることで、前記上昇規制部を前記規制当接部の直上に移動させる規制押圧部を備えてもよい。
【００１３】
本発明に係るポンプは、
前記回動部が、前記作動部の下降に伴って、前記規制押圧部によって周方向他方側に押圧される規制受圧部を備えてもよく、
前記規制押圧部及び／又は前記規制受圧部が、前記周方向他方側に向けて上方に傾斜していてもよく、
前記固定部が、前記周方向一方側及び前記周方向他方側への前記作動部の回動を規制し且つ前記作動部の昇降を許容するように、前記作動部を案内する作動案内部を備えてもよい。
【００１４】
本発明に係るポンプは、
前記作動部が、前記口部の径方向外側に突出する凸状をなす１つ以上の規制凸部を備えてもよく、
前記１つ以上の規制凸部が、それぞれ、前記規制当接部と前記規制押圧部とを構成してもよい。
【００１５】
本発明に係るポンプは、
前記収容空間に配置される吸込口と、
前記固定部と前記作動部とによって、前記吸込口から前記吐出口までの流路に区画されるとともに、前記作動部の下降によって容積が減少し、前記作動部の上昇によって容積が増加するポンプ室と、
前記ポンプ室より上流側に位置する上流側逆流防止部と、
前記ポンプ室より下流側に位置する下流側逆流防止部と、
前記作動部を上方に付勢する弾性体と、を備えてもよく、
前記固定部が、シリンダを備えてもよく、
前記作動部が、前記シリンダの内面を摺動可能なピストンを備えてもよく、
前記固定部が、
前記シリンダを有するシリンダ部材と、
前記シリンダ部材を前記口部に固定するために前記口部に装着されるキャップ部材と、を備えてもよく、
前記回動部が、少なくとも前記周方向一方側に回動可能に前記キャップ部材に取付けられたリング部材で構成されてもよい。
【発明の効果】
【００１６】
本発明によれば、容器の内容物の過剰な使用を抑制できるポンプを提供することができる。
【図面の簡単な説明】
【００１７】
【図１】本発明の第１実施形態に係るポンプを備えた吐出容器を、オーバーキャップの装着状態で示す一部断面側面図である。
【図２】図１に示す吐出容器を、吐出ヘッドの押下げ操作時の状態で示す一部断面側面図である。
【図３】図１に示すキャップ部材の上面図である。
【図４】図３の矢印Ａの方向から視たキャップ部材の側面図である。
【図５】図１に示すリング部材を示す図であり、（ａ）は上面図であり、（ｂ）は側面図である。
【図６】図１に示す吐出ヘッドを示す図であり、（ａ）は上面図であり、（ｂ）は側面図である。
【図７】図１に示すオーバーキャップの縦断面図である。
【図８】図７と９０°異なる方向から視たオーバーキャップの縦断面図である。
【図９】図１に示すオーバーキャップの底面図である。
【図１０】図１に示すポンプの作動要領を説明するために、吐出ヘッドの押下げ操作直前の状態を示す図であり、（ａ）は一部断面上面図であり、（ｂ）は一部断面側面図である。
【図１１】図１に示すポンプの作動要領を説明するために、吐出ヘッドの押下げ操作直後の上昇規制状態を示す図であり、（ａ）は一部断面上面図であり、（ｂ）は一部断面側面図である。
【図１２】図１に示すポンプの作動要領を説明するために、上昇規制状態からオーバーキャップを装着している最中の状態を示す図であり、（ａ）は一部断面上面図であり、（ｂ）は一部断面側面図である。
【図１３】図１に示すポンプの作動要領を説明するために、上昇規制状態からオーバーキャップの装着が完了した時の状態を示す図であり、（ａ）は一部断面上面図であり、（ｂ）は一部断面側面図である。
【図１４】本発明の第２実施形態に係るポンプを備えた吐出容器を、オーバーキャップの装着状態で示す一部断面側面図である。
【図１５】図１４に示す吐出容器を、吐出ヘッドの押下げ操作時の状態で示す一部断面側面図である。
【図１６】図１４に示すキャップ部材の上面図である。
【図１７】図１４に示すオーバーキャップの一部断面側面図である。
【図１８】図１４に示すオーバーキャップの底面図である。
【図１９】図１４に示すポンプの作動要領を説明するために、吐出ヘッドの押下げ操作直前の状態を示す図であり、（ａ）は一部断面上面図であり、（ｂ）は一部断面側面図である。
【図２０】図１４に示すポンプの作動要領を説明するために、吐出ヘッドの押下げ操作直後の上昇規制状態を示す図であり、（ａ）は一部断面上面図であり、（ｂ）は一部断面側面図である。
【図２１】図１４に示すポンプの作動要領を説明するために、上昇規制状態からオーバーキャップを装着している最中の状態を示す図であり、（ａ）は一部断面上面図であり、（ｂ）は一部断面側面図である。
【図２２】図１４に示すポンプの作動要領を説明するために、上昇規制状態からオーバーキャップの装着が完了した時の状態を示す図であり、（ａ）は一部断面上面図であり、（ｂ）は一部断面側面図である。
【発明を実施するための形態】
【００１８】
以下、図面を参照して、本発明の実施形態に係るポンプについて詳細に例示説明する。なお、口部の径方向、径方向内側及び径方向外側を、単に径方向、径方向内側及び径方向外側ともいい、口部の周方向を単に周方向ともいい、口部の軸方向（上下方向）を単に軸方向ともいう。
【００１９】
まず、図１〜図１３を参照して、本発明の第１実施形態に係るポンプ１について詳細に例示説明する。図１に示すように、本実施形態に係るポンプ１は、容器２に装着されて吐出容器３を構成している。容器２は、内容物４を収容する収容空間５に連なる環状の口部２ａを備えている。本実施形態では口部２ａの形状は円筒状であるが、これに限定されない。容器２は、口部２ａに連なる胴部２ｂを備え、口部２ａの内面と胴部２ｂの内面とによって収容空間５を区画している。胴部２ｂの形状は、本実施形態では口部２ａより拡径した有底円筒状をなしているが、これに限定されない。容器２は、例えば合成樹脂、ガラス又は金属製であってよい。
【００２０】
また、容器２は、口部２ａと、口部２ａに連なるとともに剛性を有する胴部と、口部２ａに連なるとともに胴部の内側に配置された可撓性を有する袋状の収容部と、胴部と収容部との間の部分に外気を導入可能な外気導入口と、を備える二重容器であってもよい。この場合、二重容器は、外口部と外口部に連なる胴部とを有する外体と、外口部と協働して口部を構成する内口部と内口部に連なる収容部とを有する内体と、を備えてもよい。また、二重容器は、外体と内体とが剥離可能に積層された積層剥離容器であってもよい。積層剥離容器は、積層パリソンに対してブロー成形を施す押出しブロー成形（ＥＢＭ：Extrusion Blow Molding）によって形成してもよいし、積層プリフォームに対してブロー成形を施す二軸延伸ブロー成形によって形成してもよい。二重容器は、外体と内体とを別個に形成した後に組合せたものであってもよい。
【００２１】
内容物４は、液状であってよい。また、その粘度は特に限定されない。また、内容物４の種類は特に限定されず、例えば薬剤、化粧料等であってよい。
【００２２】
図１〜図２に示すように、ポンプ１は、容器２の口部２ａに固定される固定部６と、横向きの吐出口８を有する吐出ヘッド１５を含み、容器２の内容物４を吐出口８から吐出するために固定部６に対して口部２ａの軸方向に昇降可能な作動部７と、を備えている。作動部７は、弾性体１２の付勢力によって上昇可能である。本実施形態では、ポンプ１は、収容空間５に配置される吸込口（図示省略）と、固定部６と作動部７とによって、吸込口から吐出口８までの流路に区画されるとともに、作動部７の下降によって容積が減少し、作動部７の上昇によって容積が増加するポンプ室９と、ポンプ室９より上流側に位置する上流側逆流防止部１０と、ポンプ室９より下流側に位置する下流側逆流防止部１１と、作動部７を上方に付勢する弾性体１２と、を備えている。また、固定部６は、シリンダ１３を備え、作動部７は、シリンダ１３の内面を摺動可能なピストン１４を備えている。弾性体１２は、例えば金属又は合成樹脂製の、コイルばねで構成されている。
【００２３】
吐出ヘッド１５は、本実施形態では単一の部材で構成されている。しかし、吐出ヘッド１５は複数の部材で構成されてもよい。
【００２４】
固定部６は、シリンダ１３を有するシリンダ部材１８と、シリンダ部材１８に固着された円環状の封止部材１９と、シリンダ部材１８を口部２ａに固定するために口部２ａに装着されるキャップ部材２０と、シリンダ部材１８に固定されるとともに下端に吸込口を有する管部材２１と、シリンダ部材１８に固定されるとともに上流側逆流防止部１０を構成する弁部材２２と、シリンダ１３の内周面の上部に固定された抜け止め部材２３と、を備えている。キャップ部材２０は、本実施形態では、口部２ａの外周面に設けられた雄ねじに螺合可能な雌ねじを有している。しかし、キャップ部材２０は、口部２ａの外周面に設けられた係合部に打栓によって係止される被係合部を有していてもよい。シリンダ部材１８は、円筒状のシリンダ１３の上端部から径方向外側に延在する円環状のフランジ１８ａを有している。封止部材１９は、フランジ１８ａの下面に固着されている。固定部６の形状又は部材構成等は、適宜変更が可能である。
【００２５】
シリンダ部材１８、キャップ部材２０、管部材２１及び抜け止め部材２３は、合成樹脂製であってよい。封止部材１９は、例えばゴム又はエラストマー製であってよい。弁部材２２は、例えば合成樹脂、ゴム又はエラストマー製であってよい。
【００２６】
作動部７は、前述した吐出ヘッド１５の他に、吐出ヘッド１５に接続する接続部材２４と、接続部材２４に固定された管状の上ステム部材２５と、上ステム部材２５の外周面の上端部に固定されたばね支持部材２６と、上ステム部材２５の内周面に固定された下ステム部材２７と、上ステム部材２５と下ステム部材２７との間に、これらに対して相対的に上下動可能に保持されるとともにピストン１４を有するピストン部材２８と、を備えている。ピストン部材２８は円環状をなしており、その外周部にはピストン１４が設けられている。ピストン部材２８の下部と下ステム部材２７との間には、作動部７の下降に伴って開く（図２参照）一方で、作動部７の上昇に伴って閉じる（図１参照）開口が形成される。したがって、下流側逆流防止部１１は、ピストン部材２８の下部と下ステム部材２７とで構成されている。しかし、作動部７の形状又は部材構成等は、適宜変更が可能である。
【００２７】
吐出ヘッド１５、接続部材２４、上ステム部材２５、ばね支持部材２６、下ステム部材２７及びピストン部材２８は、例えば合成樹脂製であってよい。
【００２８】
本実施形態では、ポンプ１は、口部２ａの周方向に回動可能に固定部６に取付けられた回動部２９を備えている。回動部２９は、口部２ａの周方向に回動可能にキャップ部材２０に取付けられたリング部材３０で構成されている。しかし、回動部２９の部材構成等は適宜変更が可能である。
【００２９】
また、ポンプ１は、図１及び図７〜図９に示すように、固定部６に着脱可能に装着されることで吐出ヘッド１５を被覆するオーバーキャップ３１を備えている。オーバーキャップ３１は、上方に向けて僅かに縮径する円筒状の周壁３２と、周壁３２の上端に連なるとともに水平に延在する円板状の天壁３３と、を備えている。周壁３２の内周面には、上下方向に周壁３２の全長に亘って延在する２つの被案内リブ３４が設けられている。２つの被案内リブ３４は、中心軸線Ｏを挟むように配置されている。また、周壁３２の内周面には、上下方向に延在するリブ状をなす２つの許容押圧リブ３５が設けられている。２つの許容押圧リブ３５は、それぞれ、周壁３２の上端部から周壁３２の上下方向中間部まで延在している。２つの許容押圧リブ３５は、中心軸線Ｏを挟むように配置されている。また、２つの許容押圧リブ３５は、中心軸線Ｏの周りに、２つの被案内リブ３４と略９０°異なる位置に配置されている。２つの許容押圧リブ３５の底面は、口部２ａの周方向一方側Ｄ１（図１２参照）に向けて上方に傾斜する２つの傾斜面３５ａをそれぞれ１つずつ備えている。周壁３２の内周面における下端部近傍には、それぞれキャップ部材２０の下周壁４１の下端部に着脱可能に係止する凸状をなす、４つの係止凸部３６が設けられている。なお、係止凸部３６の数、形状及び配置等は適宜変更が可能である。係止凸部３６を設けないで、例えば周壁３２とキャップ部材２０の下周壁４１との摩擦力によって、オーバーキャップ３１の装着状態を維持する構成としてもよい。
【００３０】
図１、図３及び図４に示すように、キャップ部材２０は、口部２ａに装着される円筒状の装着壁３８と、装着壁３８の上端部から径方向内側に延在する円環状の内向きフランジ３９と、装着壁３８の上端部から径方向外側に延在する外向きフランジ４０と、外向きフランジ４０の外周縁部から垂下する下周壁４１と、外向きフランジ４０から上方に延在する上周壁３７と、を備えている。上周壁３７の上端部には、外周面が段差状に縮径した縮径部３７ａが設けられている。縮径部３７ａの外周面には、リング部材３０の回動を許容し且つ上方へのリング部材３０の離脱を規制する係合部３７ｂが設けられている。係合部３７ｂは、リング部材３０の外筒５１の内周面に設けられた円環凹状をなす被係合部５１ａと係合する円環凸状をなしている。しかし、係合部３７ｂ及び被係合部５１ａの形状は適宜変更が可能である。
【００３１】
下周壁４１の外周面には、上下方向に延在する２つの溝４１ａが設けられている。２つの溝４１ａは、中心軸線Ｏを挟むように配置されている。そして、２つの溝４１ａは、それぞれ、２つの被案内リブ３４を１つずつ案内可能である。２つの溝４１ａは、キャップ部材２０へのオーバーキャップ３１の装着に伴って、周方向一方側Ｄ１及びその反対方向である周方向他方側Ｄ２（図１１参照）へのオーバーキャップ３１の回動を規制し且つオーバーキャップ３１の下降を許容するように、オーバーキャップ３１を案内するキャップ案内部４２を構成している。また、中心軸線Ｏを中心として２つの溝４１ａを含む円周上には、各溝４１ａの両側から溝４１ａに接近するに従って徐々に下方に傾斜する傾斜案内部４１ｂが設けられている。
【００３２】
上周壁３７の内周面には、上下方向に延在する２つの溝３７ｃが設けられている。２つの溝３７ｃは、中心軸線Ｏを挟むように配置されている。そして、２つの溝３７ｃは、それぞれ、吐出ヘッド１５に設けられた２つの被案内凸部１６を１つずつ案内可能である。２つの溝３７ｃは、周方向一方側Ｄ１及び周方向他方側Ｄ２への作動部７の回動を規制し且つ作動部７の昇降を許容するように、作動部７を案内する作動案内部４３を構成している。２つの被案内凸部１６は、中心軸線Ｏの周りに、２つの溝４１ａと重なる位置に配置されている。
【００３３】
図１、図６（ａ）及び図６（ｂ）に示すように、吐出ヘッド１５は、円筒状の外周面を有しており、当該外周面には側方に突出する吐出筒１５ａが設けられている。吐出筒１５ａの先端部には、吐出口８が設けられている。また、吐出ヘッド１５は、円形の平坦な上面を有しており、使用者は当該上面を指等で押下げ操作可能である。吐出ヘッド１５の外周面における下端部には、前述した２つの被案内凸部１６が設けられている。２つの被案内凸部１６は、中心軸線Ｏを挟むように配置されている。また、２つの被案内凸部１６の一方は、吐出筒１５ａの直下に位置している。２つの被案内凸部１６は、それぞれ、直方体状をなしている。しかし、２つの被案内凸部１６の配置、形状等は適宜変更が可能である。また、被案内凸部１６の数は、作動案内部４３を構成する溝３７ｃの数と合わせて変更が可能である。
【００３４】
吐出ヘッド１５の外周面における下端部には、径方向外側に突出する凸状をなす２つの規制凸部１７が設けられている。２つの規制凸部１７は、中心軸線Ｏを挟むように配置されている。また、２つの規制凸部１７は、中心軸線Ｏの周りに、２つの被案内凸部１６と９０°異なる位置に配置されている。２つの規制凸部１７の底面は、周方向他方側Ｄ２に向けて上方に傾斜する２つの傾斜面１７ａをそれぞれ１つずつ備えている。２つの規制凸部１７の上面は、水平に延在する２つの水平面１７ｂをそれぞれ１つずつ備えている。
【００３５】
図１、図５（ａ）及び図５（ｂ）に示すように、リング部材３０は、前述した円筒状の外筒５１を備えている。外筒５１の上端部には、水平に延在する円環板状の内向きフランジ５２の外周縁部が連結している。内向きフランジ５２の内周縁部には軸方向に延在する円筒状の内壁５３の上端部が連結している。内向きフランジ５２の内周縁部には、吐出ヘッド１５の２つの被案内凸部１６をそれぞれ１つずつ組付け時に通過させる２つの切り欠き５２ａが設けられている。内壁５３には、２つの切り欠き５２ａにそれぞれ１つずつ連なるとともに軸方向に亘って延在する２つの切り欠き５３ａが設けられている。また、内向きフランジ５２の内周縁部には、吐出ヘッド１５の２つの規制凸部１７をそれぞれ１つずつ組付け時に通過させる２つの切り欠き５２ｂが設けられている。内壁５３には、２つの切り欠き５２ｂにそれぞれ１つずつ連なるとともに軸方向に亘って延在する２つの切り欠き５３ｂが設けられている。内壁５３における２つの切り欠き５３ｂの下部に面する周方向一方側Ｄ１の端面には、周方向他方側Ｄ２に向けて上方に傾斜する２つの傾斜面５３ｃがそれぞれ１つずつ設けられている。また、内壁５３には、２つの切り欠き５３ｂの下端部から２つの切り欠き５３ａの下端部まで周方向一方側Ｄ１にそれぞれ１つずつ延在する２つの切り欠き５３ｄが設けられている。内壁５３における２つの切り欠き５３ｄに面する下端面には、水平に延在する２つの水平面５３ｅがそれぞれ１つずつ設けられている。
【００３６】
内壁５３の２つの水平面５３ｅは、作動部７との当接によって作動部７の上昇を規制する上昇規制部４４を構成している。また、前述した吐出ヘッド１５の２つの規制凸部１７の２つの水平面１７ｂは、上昇規制部４４との当接によって作動部７の上昇を規制する規制当接部４５を構成している。
【００３７】
２つの規制凸部１７の２つの傾斜面１７ａは、作動部７の下降に伴って、リング部材３０を周方向他方側Ｄ２に押圧して回動させることで、上昇規制部４４を規制当接部４５の直上に移動させる規制押圧部４６を構成している。また、内壁５３の２つの傾斜面５３ｃは、作動部７の下降に伴って、規制押圧部４６によって周方向他方側Ｄ２に押圧される規制受圧部４７を構成している。
【００３８】
リング部材３０の外筒５１の外周面における下端部には、径方向外側に突出する凸状をなす２つの許容凸部５４が設けられている。２つの許容凸部５４は、中心軸線Ｏを挟むように配置されている。また、２つの許容凸部５４は、中心軸線Ｏの周りに、２つの切り欠き５２ａと９０°異なる位置に配置されている。２つの許容凸部５４の上面は、周方向一方側Ｄ１に向けて上方に傾斜する２つの傾斜面５４ａをそれぞれ１つずつ備えている。
【００３９】
前述したオーバーキャップ３１の２つの許容押圧リブ３５の２つの傾斜面３５ａは、作動部７の上昇が規制された上昇規制状態からのキャップ部材２０へのオーバーキャップ３１の装着に伴ってリング部材３０を周方向一方側Ｄ１に押圧して回動させ、作動部７の上昇を許容する許容押圧部４８を構成している。また、リング部材３０の２つの許容凸部５４の２つの傾斜面５４ａは、キャップ部材２０へのオーバーキャップ３１の装着に伴って許容押圧部４８によって周方向一方側Ｄ１に押圧される許容受圧部４９を構成している。
【００４０】
上昇規制部４４を構成する２つの水平面５３ｅ、規制当接部４５を構成する２つの水平面１７ｂ、規制押圧部４６を構成する２つの傾斜面１７ａ、規制受圧部４７を構成する２つの傾斜面５３ｃ、許容押圧部４８を構成する２つの傾斜面３５ａ、許容受圧部４９を構成する２つの傾斜面５４ａ、キャップ案内部４２を構成する２つの溝４１ａ、及び２つの被案内リブ３４は、それぞれ、中心軸線Ｏを中心とする回転対称性を有している。
【００４１】
本実施形態に係るポンプ１の作動要領は、次のとおりである。まず、使用者は、オーバーキャップ３１をキャップ部材２０から取外し、図１０に示すような状態にする。図１０において、作動部７は、その昇降のストロークにおける上端に位置している。この状態から使用者が吐出ヘッド１５を押下げ操作すると、作動部７は、作動案内部４３によって周方向一方側Ｄ１及び周方向他方側Ｄ２への回動を規制された状態で下降する。また、作動部７の下降時には、規制押圧部４６が規制受圧部４７を周方向他方側Ｄ２に押圧することにより、リング部材３０を周方向他方側Ｄ２に回動させて上昇規制部４４を規制当接部４５の直上に移動させる。この状態で使用者が押下げ操作を解除すると、弾性体１２の付勢力によって作動部７が僅かに上昇し、図１１に示すように、上昇規制部４４に規制当接部４５が当接する。この当接により、作動部７の上昇が規制される。したがって、押下げ操作の繰り返しにより内容物が繰り返し吐出されることを防止することができる。その結果、容器２の内容物４の過剰な使用を抑制することができる。
【００４２】
図１１に示す状態からオーバーキャップ３１をキャップ部材２０に装着することにより、上昇規制状態を解除することができる。まず、オーバーキャップ３１をキャップ部材２０に向けて下降させると、２つの被案内リブ３４の下端部が、傾斜案内部４１ｂに案内されて、図１２に示すように、キャップ案内部４２を構成する２つの溝４１ａ内にそれぞれ１つずつ挿入される。この状態からオーバーキャップ３１をさらに下降させると、オーバーキャップ３１は、２つの被案内リブ３４が２つの溝４１ａに案内されることにより、周方向一方側Ｄ１及び周方向他方側Ｄ２への回動を規制された状態で下降する。この下降により、オーバーキャップ３１の許容押圧部４８がリング部材３０の許容受圧部４９を周方向一方側Ｄ１に押圧することができる。その結果、リング部材３０が周方向一方側Ｄ１に回動して上昇規制部４４と規制当接部４５との当接状態が解消し、図１３に示すように、作動部７の上昇が許容される。また、オーバーキャップ３１の４つの係止凸部３６（図８参照）がキャップ部材２０の下周壁４１の下端部に係止され、オーバーキャップ３１の装着が完了する。内容物を再度吐出するためには、オーバーキャップ３１をキャップ部材２０から取外し、上述の手順を繰り返せばよい。
【００４３】
次に、図１４〜図２２を参照して、本発明の第２実施形態に係るポンプ６０について詳細に例示説明する。図１６、図２１及び図２２に示すように、本実施形態に係るポンプ６０では、キャップ部材２０’へのオーバーキャップ３１’の装着に伴って、周方向一方側Ｄ１及び周方向他方側Ｄ２へのオーバーキャップ３１’の回動を規制し且つオーバーキャップ３１’の下降を許容するように、オーバーキャップ３１’を案内するキャップ案内部４２’が、キャップ部材２０’の下周壁４１’の正８角形状をなす外周面４１ｃで構成されている。
【００４４】
また、図１７、図１８、図２１及び図２２に示すように、オーバーキャップ３１’の周壁３２’は、外周面４１ｃに案内される正８角形状の内周面３２ａを備えている。また、オーバーキャップ３１’は、正８角形状の内周面３２ａの各面に１つずつ回転対称性を有するように設けられた上下方向に延在するリブ状をなす８つの許容押圧リブ３５’を備えている。８つの許容押圧リブ３５’の底面は、周方向一方側Ｄ１に向けて上方に傾斜する８つの傾斜面３５ａ’をそれぞれ１つずつ備えている。８つの傾斜面３５ａ’は、作動部７の上昇が規制された上昇規制状態からのキャップ部材２０’へのオーバーキャップ３１’の装着に伴ってリング部材３０を周方向一方側Ｄ１に押圧して回動させ、作動部７の上昇を許容する許容押圧部４８’を構成している。
【００４５】
オーバーキャップ３１’の正８角形状の内周面３２ａの各面には、８つの係止凸部３６’が１つずつ設けられている。８つの係止凸部３６’は、それぞれ、内周面３２ａの下端部近傍に配置されるとともにキャップ部材２０’の下周壁４１’の下端部に着脱可能に係止する凸状をなしている。なお、係止凸部３６’の数、形状及び配置等は適宜変更が可能である。係止凸部３６’を設けないで、例えば周壁３２’とキャップ部材２０’の下周壁４１’との摩擦力によって、オーバーキャップ３１’の装着状態を維持する構成としてもよい。
【００４６】
図１４、図１５等に示すように、その他の構成は、第１実施形態の場合と同一である。なお、本実施形態においても、第１実施形態において前述した種々の変更が可能である。
【００４７】
本実施形態に係るポンプ６０の作動要領は、次のとおりである。まず、使用者は、オーバーキャップ３１’をキャップ部材２０’から取外し、図１９に示すような状態にする。図１９において、作動部７は、その昇降のストロークにおける上端に位置している。この状態から使用者が吐出ヘッド１５を押下げ操作すると、作動部７は、作動案内部４３によって周方向一方側Ｄ１及び周方向他方側Ｄ２への回動を規制された状態で下降する。また、作動部７の下降時には、規制押圧部４６が規制受圧部４７を周方向他方側Ｄ２に押圧することにより、リング部材３０を周方向他方側Ｄ２に回動させて上昇規制部４４を規制当接部４５の直上に移動させる。この状態で使用者が押下げ操作を解除すると、弾性体１２の付勢力によって作動部７が僅かに上昇し、図２０に示すように、上昇規制部４４に規制当接部４５が当接する。この当接により、作動部７の上昇が規制される。したがって、押下げ操作の繰り返しにより内容物が繰り返し吐出されることを防止することができる。その結果、容器２の内容物４の過剰な使用を抑制することができる。
【００４８】
図２０に示す状態からオーバーキャップ３１’をキャップ部材２０’に装着することにより、上昇規制状態を解除することができる。まず、オーバーキャップ３１’の正８角形状の内周面３２ａの各面がキャップ部材２０’の正８角形状の外周面４１ｃのいずれかの面と周方向に整列するようにオーバーキャップ３１’の周方向の向きを調整し、オーバーキャップ３１’を下降させると、図１２に示すように、オーバーキャップ３１’は、正８角形状の内周面３２ａが正８角形状の外周面４１ｃに案内されることにより、周方向一方側Ｄ１及び周方向他方側Ｄ２への回動を規制された状態で下降する。このとき、正８角形状の内周面３２ａの各面に８つの許容押圧リブ３５’が１つずつ回転対称性を有するように設けられているので、オーバーキャップ３１’の正８角形状の内周面３２ａの各面がキャップ部材２０’の正８角形状の外周面４１ｃのどの面と周方向に整列している場合でも、オーバーキャップ３１’の許容押圧部４８’がリング部材３０の許容受圧部４９を周方向一方側Ｄ１に押圧することができる。その結果、リング部材３０が周方向一方側Ｄ１に回動して上昇規制部４４と規制当接部４５との当接状態が解消し、図２２に示すように、作動部７の上昇が許容される。また、オーバーキャップ３１の８つの係止凸部３６’がキャップ部材２０’の下周壁４１’の下端部に係止され、オーバーキャップ３１’の装着が完了する。内容物を再度吐出するためには、オーバーキャップ３１’をキャップ部材２０’から取外し、上述の手順を繰り返せばよい。
【００４９】
前述した本実施形態は、本発明の実施形態の一例にすぎず、発明の要旨を逸脱しない範囲で種々変更可能であることはいうまでもない。
【００５０】
前記の実施形態では、許容押圧部４８、４８’及び許容受圧部４９の両方が周方向一方側Ｄ１に向けて上方に傾斜しているが、許容押圧部４８、４８’及び許容受圧部４９のいずれか一方のみが周方向一方側に向けて上方に傾斜していてもよい。また、前記の実施形態では、規制押圧部４６及び規制受圧部４７の両方が周方向他方側Ｄ２に向けて上方に傾斜しているが、規制押圧部４６及び規制受圧部４７のいずれか一方のみが周方向他方側Ｄ２に向けて上方に傾斜していてもよい。また、前記の実施形態では、規制凸部１７が規制当接部４５及び規制押圧部４６の両方を構成しているが、規制当接部４５と規制押圧部４６とを別々の凸部等で構成してもよい。
【００５１】
前記の実施形態では、上昇規制部４４は２つの水平面５３ｅで構成される２つのユニットで構成され、規制当接部４５は２つの水平面１７ｂで構成される２つのユニットで構成され、規制押圧部４６は２つの傾斜面１７ａで構成される２つのユニットで構成され、規制受圧部４７は２つの傾斜面５３ｃで構成される２つのユニットで構成され、作動案内部４３は２つの溝３７ｃで構成される２つのユニットで構成され、許容受圧部４９は２つの傾斜面５４ａで構成される２つのユニットで構成されている。しかし、上昇規制部４４、規制当接部４５、規制押圧部４６、規制受圧部４７、作動案内部４３、許容受圧部４９は、１つのみのユニット又は３つ以上のユニットで構成されてもよい。
【００５２】
第１実施形態では、キャップ案内部４２は２つの溝４１ａで構成されているが、１つのみ又は３つ以上の溝４１ａで構成してもよい。第２実施形態では、キャップ案内部４２’が正８角形状の外周面４１ｃで構成され、オーバーキャップ３１’が正８角形状の内周面３２ａを備えているが、外周面４１ｃ及び内周面３２ａは、正８角形以外の正多角形状であってもよい。また、外周面４１ｃ及び内周面３２ａは、正多角形状以外の多角形状であってもよい。
【００５３】
前記の実施形態では、ポンプ１、６０は、内容物４を液状のまま又は霧状にして吐出するように構成されている。しかし、ポンプ１、６０は、適宜発泡部材を流路内に配置するなどして、内容物４を泡状に吐出するように構成されてもよい。
【符号の説明】
【００５４】
１  ポンプ
２  容器
２ａ  口部
２ｂ  胴部
３  吐出容器
４  内容物
５  収容空間
６、６’  固定部
７  作動部
８  吐出口
９  ポンプ室
１０  上流側逆流防止部
１１  下流側逆流防止部
１２  弾性体
１３  シリンダ
１４  ピストン
１５  吐出ヘッド
１５ａ  吐出筒
１６  被案内凸部
１７  規制凸部
１７ａ  傾斜面
１７ｂ  水平面
１８  シリンダ部材
１８ａ  フランジ
１９  封止部材
２０、２０’  キャップ部材
２１  管部材
２２  弁部材
２３  抜け止め部材
２４  接続部材
２５  上ステム部材
２６  ばね支持部材
２７  下ステム部材
２８  ピストン部材
２９  回動部
３０  リング部材
３１、３１’  オーバーキャップ
３２、３２’  周壁
３２ａ  内周面
３３  天壁
３４  被案内リブ
３５、３５’  許容押圧リブ
３５ａ、３５ａ’  傾斜面
３６、３６’  係止凸部
３７  上周壁
３７ａ  縮径部
３７ｂ  係合部
３８  装着壁
３９  内向きフランジ
４０  外向きフランジ
４１、４１’  下周壁
４１ａ  溝
４１ｂ  傾斜案内部
４１ｃ  外周面
４２、４２’  キャップ案内部
４３  作動案内部
４４  上昇規制部
４５  規制当接部
４６  規制押圧部
４７  規制受圧部
４８、４８’  許容押圧部
４９  許容受圧部
５１  外筒
５１ａ  被係合部
５２  内向きフランジ
５２ａ、５２ｂ  切り欠き
５３  内壁
５３ａ、５３ｂ  切り欠き
５３ｃ  傾斜面
５３ｄ  切り欠き
５３ｅ  水平面
５４  許容凸部
５４ａ  傾斜面
６０  ポンプ
Ｏ  中心軸線
Ｄ１  周方向一方側
Ｄ２  周方向他方側
【図１】
2020019526.tif 000003
【図２】
2020019526.tif 000004
【図３】
2020019526.tif 000005
【図４】
2020019526.tif 000006
【図５】
2020019526.tif 000007
【図６】
2020019526.tif 000008
【図７】
2020019526.tif 000009
【図８】
2020019526.tif 000010
【図９】
2020019526.tif 000011
【図１０】
2020019526.tif 000012
【図１１】
2020019526.tif 000013
【図１２】
2020019526.tif 000014
【図１３】
2020019526.tif 000015
【図１４】
2020019526.tif 000016
【図１５】
2020019526.tif 000017
【図１６】
2020019526.tif 000018
【図１７】
2020019526.tif 000019
【図１８】
2020019526.tif 000020
【図１９】
2020019526.tif 000021
【図２０】
2020019526.tif 000022
【図２１】
2020019526.tif 000023
【図２２】
2020019526.tif 000024